(57)【要約】【課題】ハサミ式開脚アスレチック器具を提供する。【解決手段】人体運動用アスレチック器材で、２個の本体１、２を交差連結し、その間には可動接続ユニット４を設置する。しかも各本体１、２底部にはスライドユニット３を設置する。操作時には、両手で２個の本体１、２頂点部をそれぞれ握り、両足はスライドユニット３上をそれぞれ踏み、２個の本体１、２の内側への閉鎖、外側への展開運動を往復で行い、すなわち、ハサミに類似の運動を行うことができる。【選択図】図３
0003148166.tif 000002
【実用新案登録請求の範囲】
【請求項１】
第一本体、第二本体、可動接続ユニット、２個のスライドユニットを備え、
前記第一本体は一直立状長棒体で、
前記第二本体は直立状長棒体で、前記第二本体は前記第一本体と交差関係を呈し、
前記可動接続ユニットは第一本体と第二本体の交差位置に設置し、第一本体と第二本体に閉鎖或いは展開の形態変化を提供し、
前記２個のスライドユニットはそれぞれ第一本体と第二本体底部に設置することを特徴とするハサミ式開脚アスレチック器具。
【請求項２】
前記第一本体と第二本体の中段の適当な位置には軸カバーを設置し、２個の軸カバー間には軸体を設置し、前記２個の軸カバーと軸体はボルトにより可動接続されることを特徴とする請求項１に記載のハサミ式開脚アスレチック器具。
【請求項３】
前記第一本体と第二本体の適当な位置には延伸板を設置し、前記延伸板はおよそ水平状を呈し、延伸板の対応する両側辺にはそれぞれストッパー部を設置し、
前記延伸板内側面には上ストッパーブロックを突出設置し、
前記第一本体と前記第二本体の適当な位置にはさらに下ストッパーブロックを設置することを特徴とする請求項１に記載のハサミ式開脚アスレチック器具。
【請求項４】
前記第一本体と前記第二本体の各頂点部にはグリップを設置し、
前記第一本体と前記第二本体の各底部には結合リングを設置し、前記結合リングにはスライドユニットを組合わせることを特徴とする請求項１に記載のハサミ式開脚アスレチック器具。
【請求項５】
前記スライドユニットの底部には適当な数のローラーを設置することを特徴とする請求項１に記載のハサミ式開脚アスレチック器具。
【請求項６】
前記スライドユニットは底台と２個のローラー台により構成し、前記ローラー台中には適当な数のローラーを配置し、その内のあるローラー頂点部は開放状で、
前記底台上には軸台を設置し、前記軸台の軸部品により結合板を可動結合し、結合板は底台に相対し角度を変えることができ、
前記結合板底面にはストッパー制御部品とクッション体を組み合わせ、その内のストッパー制御部品はちょうどその内の１個のローラー頂点部に位置し、クッション体はローラー台上方に位置し、
前記スライドユニット側縁には接合部品を設置し、それは結合リングを通過可能で、カバー体を対応させ、第一本体或いは第二本体底部に組合わせることを特徴とする請求項１に記載のハサミ式開脚アスレチック器具。
【請求項７】
前記スライドユニットは底台と２個のローラー台により構成し、前記ローラー台中には適当な数のローラーを配置し、その内のあるローラー頂点部は開放状で、
前記底台上には軸台を設置し、軸台の軸部品により結合板を可動結合し、結合板は底台に相対し角度を変えることができ、
前記結合板底面にはストッパー制御部品とクッション体を組み合わせ、その内のストッパー制御部品はちょうどその内の１個のローラー頂点部に位置し、クッション体はローラー台上方に位置することを特徴とする請求項１に記載のハサミ式開脚アスレチック器具。
【請求項８】
前記スライドユニット側縁には接合部品を設置し、しかも前記第一本体或いは前記第二本体底部には結合リングを設置し、接合部品は結合リングに接合可能であることを特徴とする請求項１に記載のハサミ式開脚アスレチック器具。
【請求項９】
前記可動接続ユニットはさらに弾性部品を備え、それはリング型バネ構造で、両端部はそれぞれ固定部品により第一本体と第二本体の固定孔中に連結することを特徴とする請求項１に記載のハサミ式開脚アスレチック器具。
【考案の詳細な説明】
【技術分野】
【０００１】
本考案はハサミ式開脚アスレチック器具に関し、特に人体運動の補助に用いるアスレチック器具で、ハサミ構造に類似の運動操作状態を運用するハサミ式開脚アスレチック器具に関する。
【背景技術】
【０００２】
現代人の生活は非常に忙しく、しかも屋外運動施設の不足、或いは運動場所が家から遠い等の要因があり、多くが、いつでもどこでも操作可能な室内アスレチック器具により運動を行っている。
【０００３】
しかし、ランニングマシーン、ローイングマシーン、自転車、ステップマシーン等の既存の運動器材は、発売後、既にかなりの期間がたっているため、購買或いは使用意欲を消費者に引き起こさせることができなくなっている。
人はみな好奇心があるため、絶えず新たな構造を開発しなければ、消費者をひきつけることはできない。
【０００４】
公知のステップマシーンは、両足については前後移動の運動方式を行えるだけである。その不足を補うために、本考案人は、人体に開脚のような横方向の運動を行わせる運動器材の開発を志した。
本考案は、従来のハサミ式開脚アスレチック器具の上記した欠点に鑑みてなされたものである。
【考案の開示】
【考案が解決しようとする課題】
【０００５】
本考案が解決しようとする主要な課題は、全く新しい運動方式のアスレチック器材を設計し、付属のハサミ状器材により、人体は横方向の閉鎖或いは展開動作を行うことができ、これにより身体と四肢の運動を同時に行うという目的を達成することができるハサミ式開脚アスレチック器具を提供することである。
【課題を解決するための手段】
【０００６】
上記課題を解決するため、本考案は下記のハサミ式開脚アスレチック器具を提供する。
ハサミ式開脚アスレチック器具は２個の本体が交差連結し、その間の適当な位置には可動接続ユニットを設置し、該可動接続ユニットは２個の本体に対応閉鎖、展開の動作を行わせることができる。
該各本体底部にはスライドユニットを設置し、該各スライドユニット底部にはローラーを配置する。
両手で２個の本体頂点部をそれぞれ握り、しかも両足それぞれはスライドユニット上を踏むと、２個の本体は内側へと閉じ、或いは外側へと展開し、四肢と身体はハサミに類似の横方向運動を行うことができる。
このようにして四肢の同時、同期運動の作用を達成し、特に横方向の開脚、ストレッチの展開運動を行うことができる。
前記可動接続ユニット内には、必要に応じて弾性部品を配置可能で、このようにして２個の本体の対応閉鎖、展開の抵抗力を拡大可能で、或いは２個の本体の対応閉鎖を補助し、或いは２個の本体の対応展開を補助することができる。
【考案の効果】
【０００７】
全く新しい運動方式のアスレチック器材を設計し、付属のハサミ状器材により、人体は横方向の閉鎖或いは展開動作を行うことができ、これにより身体と四肢の運動を同時に行うという目的を達成することができる。
【考案を実施するための最良の形態】
【０００８】
以下に図面を参照しながら本考案を実施するための最良の形態について詳細に説明する。
【実施例】
【０００９】
図１と図２に示すように、本考案の一実施例によるハサミ式開脚アスレチック器具は第一本体１、第二本体２、２個のスライドユニット３、可動接続ユニット４を備える。
【００１０】
第一本体１は直立状長棒体で、中段の適当な位置には軸体４１を設置し、第一本体１の適当な位置には延伸板１１を設置する。
延伸板１１はおよそ水平状を呈し、延伸板１１の対応する両側辺にはそれぞれストッパー部１１１、１１２を設置する。また延伸板１１内側面には上ストッパーブロック１２を突出設置する。
【００１１】
第一本体１の適当な位置にはさらに下ストッパーブロック１３を設置する。
また第一本体１頂点部にはグリップ１４を設置し、しかも第一本体１底部には結合リング１５を設置する。
【００１２】
第二本体２は、第一本体１と対応する構造で、同じく直立状長棒体で、中段の適当な位置には軸体４１を設置し、第二本体２の適当な位置には延伸板２１を設置する。
【００１３】
延伸板２１はおよそ水平状を呈し、延伸板２１の対応する両側辺にはそれぞれストッパー部２１１、２１２を設置する。
延伸板２１内側面には上ストッパーブロック２２を突出設置する。
【００１４】
第二本体２の適当な位置にはさらに下ストッパーブロック２３を設置する。
また第二本体２頂点部にはグリップ２４を設置し、しかも第二本体２底部には結合リング２５を設置する。
【００１５】
２個のスライドユニット３はそれぞれ第一本体１と第二本体２底部に設置し、結合リング１５、２５位置に組合わせる。
スライドユニット３は底台３１と２個のローラー台３２により構成する。
ローラー台３２中には適当な数のローラー３２１を配置し、その内のあるローラー３２１頂点部は開放状で、すなわち、ローラー台３２に遮蔽されない。
【００１６】
底台３１上には軸台３３を設置する。
軸台３３は軸部品３３１により結合板３４を可動結合し、結合板３４は底台３１に相対し角度を変えることができる。
【００１７】
結合板３４底面にはストッパー制御部品３４１とクッション体３４２を組み合わせ、その内のストッパー制御部品３４１はちょうどその内の１個のローラー３２１(すなわち、ローラー台３２に遮蔽されないローラー３２１)頂点部に位置し、クッション体３４２はローラー台３２上方に位置する。
【００１８】
スライドユニット３側縁には接合部品３０を設置し、それは結合リング１５(或いは結合リング２５)を通過可能で、カバー体３０１を対応させ、第一本体１或いは第二本体２底部に組み合わせる目的を達成する。
ペダル３５は２個の結合板３４の頂点に設置する。
【００１９】
可動接続ユニット４は、第一本体１と第二本体２の交差位置に設置し、第一本体１と第二本体２上にそれぞれ設置する軸カバー４１を含む。２個の軸カバー４１間には軸体４１０を設置し、ボルト４１１が通過し可動設置する。
【００２０】
また、必要に応じて弾性部品４２を設置することができる。それはリング型バネ構造で、両端部４２１はそれぞれ固定部品４３により、第一本体１と第二本体２固定孔４３１中に連結される。
【００２１】
図３は該アスレチック器具閉鎖時の立体外観図であり、図４は外側へと展開する時の立体外観図である。
図３と図４に示すように、その作動状況はハサミに類似しながら、アスレチック器材領域に応用する。
【００２２】
図５に示すように、本考案は閉鎖時(すなわち、図３の状態)に、第一本体１と第二本体２は相互に合わさるが、くっつきすぎによる衝突或いは引っかかりを回避するため、第一本体１の上ストッパーブロック１２はちょうど第二本体２の延伸板２１のストッパー部２１１と係合する。
しかも、第二本体２の上ストッパーブロック２２は、第一本体１の延伸板１１のストッパー部１１２とちょうど係合する(図２を合わせて参照)。
このようにして、閉鎖時の臨界終点位置を制御することができる。
【００２３】
さらに図６に示すように、本考案を外側へと展開する時(すなわち、図４の状態)には、第一本体１と第二本体２は対応し外側へと傾斜する。
開き過ぎを回避するため、第一本体１の下ストッパーブロック１３は、第二本体２の延伸板２１のストッパー部２１２に接触し、しかも第二本体２の下ストッパーブロック２３もまた、第一本体１の延伸板１１のストッパー部１１１に接触する。
このようにして、展開時の臨界終点位置を制御することができる。
【００２４】
図６に示すように、本考案中には弾性部品４２を設置し、第一本体１と第二本体２の間に組合わせるため、第一本体１と第二本体２が外側へと展開する時には、弾性部品４２は強制的に引き伸ばされる。
第一本体１と第二本体２が外側への展開をしない時には、弾性部品４２の弾力補助により、第一本体１と第二本体２は図５に示す閉鎖状態を回復する。
【００２５】
さらに図７に示すように、本考案のスライドユニット３は、結合板３４が軸台３３により底台３１に相対し角度を変えるため、結合板３４上に位置するペダル３５は底台３１に相対し角度を変えることができる。
【００２６】
図に示すように、ペダル３５が図の右側へと傾斜すると、ストッパー制御部品３４１は下方へと移動し、ローラー台３２に遮蔽されない、あるローラー３２１と接触せず、このようにして、ブレーキの作用を発揮する。
【００２７】
またペダル３５が図の左側へと傾斜すると、ストッパー制御部品３４１は上方へと移動し、任意のローラー３２１と接触せず、このようにして、クッション体３４２のサポートにより、ペダル３５は水平状を形成する。
【００２８】
操作時には、図８に示すように、両手で、それぞれ第一本体１と第二本体２頂点部のグリップ１４、２４を握り、両足はそれぞれ２個のスライドユニット３、３上を踏み、第一本体１と第二本体２を内側への閉鎖、外側への展開運動を往復で行い、すなわち、ハサミに類似の運動を行うことができる。
【００２９】
本考案は使用過程において、任意に、両足によりスライドユニット３中ペダル３５の水平或いは傾斜を制御することができ、これにより図７に示すブレーキ作用を生じ、展開距離を自ら制御するかどうかを決定する。
【００３０】
また図１に示すように、本考案は別に一組の殼体５を設置し、これにより可動接続ユニット４を覆い、外観を美しくすることができる。
それは第一本体１の固定板１６位置、第二本体２の固定板２６にそれぞれ設置する。
【図面の簡単な説明】
【００３１】
【図１】本考案の一実施例によるハサミ式開脚アスレチック器具の立体分解図である。
【図２】図１の局部拡大図である。
【図３】本考案の一実施例によるハサミ式開脚アスレチック器具において、閉鎖時の立体外観図である。
【図４】本考案の一実施例によるハサミ式開脚アスレチック器具において、展開時の立体外観図である。
【図５】本考案の一実施例によるハサミ式開脚アスレチック器具において、閉鎖時の可動接続ユニットの構造状態図である。
【図６】本考案の一実施例によるハサミ式開脚アスレチック器具において、展開時の可動接続ユニットの構造状態図である。
【図７】本考案の一実施例によるハサミ式開脚アスレチック器具において、スライドユニットの局部構造方式図である。
【図８】本考案の一実施例によるハサミ式開脚アスレチック器具の使用状態図である。
【符号の説明】
【００３２】
１：第一本体
１１：延伸板
１１１：ストッパー部
１１２：ストッパー部
１２：上ストッパーブロック
１３：下ストッパーブロック
１４：グリップ
１５：結合リング
１６：固定板
２：第二本体
２１：延伸板
２１１：ストッパー部
２１２：ストッパー部
２２：上ストッパーブロック
２３：下ストッパーブロック
２４：グリップ
２５：結合リング
２６：固定板
３：スライドユニット
３０：接合部品
３０１：カバー体
３１：底台
３２：ローラー台
３２１：ローラー
３３：軸台
３３１：軸部品
３４：結合板
３４１：ストッパー制御部品
３４２：クッション体
４：可動接続ユニット
４１：軸カバー
４１０：軸体
４１１：ボルト
４２：弾性部品
４２１：端部
４３：固定部品
４３１：固定孔
５：殼体
【図１】
0003148166.tif 000003
【図２】
0003148166.tif 000004
【図３】
0003148166.tif 000005
【図４】
0003148166.tif 000006
【図５】
0003148166.tif 000007
【図６】
0003148166.tif 000008
【図７】
0003148166.tif 000009
【図８】
0003148166.tif 000010